(57)【要約】【課題】撮影された画像の画質が低下する。【解決手段】発光制御部は、撮像装置への操作を受け付ける操作受付部と、前記撮像装置から露光時間の情報を取得する露光時間取得部と、前記操作受付部により操作が受け付けられた場合に、前記露光時間取得部により取得された前記情報が、バルブ撮影又は予め定められた閾値よりも長い露光時間の撮影である長時間露光を示すときは、前記情報がバルブ撮影でなくかつ前記閾値よりも短い露光時間の撮影である短時間露光を示すときよりも小さな単位時間当たりの光量で、前記操作に対応して発光部を露光中に発光させる駆動信号を出力する信号出力部とを備える。【選択図】図５
2013055482.tif 000002
【特許請求の範囲】
【請求項１】
撮像装置への操作を受け付ける操作受付部と、
前記撮像装置から露光時間の情報を取得する露光時間取得部と、
前記操作受付部により操作が受け付けられた場合に、前記露光時間取得部により取得された前記情報が、バルブ撮影又は予め定められた閾値よりも長い露光時間の撮影である長時間露光を示すときは、前記情報がバルブ撮影でなくかつ前記閾値よりも短い露光時間の撮影である短時間露光を示すときよりも小さな単位時間当たりの光量で、前記操作に対応して発光部を露光中に発光させる駆動信号を出力する信号出力部と
を備える発光制御部。
【請求項２】
前記信号出力部は、前記バルブ撮影又は前記長時間露光の場合、前記短時間露光の場合よりも、単位時間当たりの発光時間が短い状態で前記発光部を点滅させる
請求項１に記載の発光制御部。
【請求項３】
前記信号出力部は、前記バルブ撮影又は前記長時間露光の場合、前記短時間露光の場合よりも、点滅の１周期当たりの発光時間が短く前記発光部を点滅させる
請求項２に記載の発光制御部。
【請求項４】
前記信号出力部は、前記バルブ撮影又は前記長時間露光の場合、前記短時間露光の場合よりも、点滅の周期を長くする
請求項２又は３に記載の発光制御部。
【請求項５】
前記信号出力部は、前記バルブ撮影又は前記長時間露光の場合、前記短時間露光の場合よりも、発光強度が小さい状態で前記発光部を連続して発光させる
請求項１から４のいずれか１項に記載の発光制御部。
【請求項６】
前記信号出力部は、前記バルブ撮影又は前記長時間露光の場合、前記短時間露光の場合よりも、単位時間当たりの光量が小さい状態で、前記操作を受けた旨を示す発光を前記発光部にさせる
請求項１から５のいずれか１項に記載の発光制御部。
【請求項７】
前記発光部は、前記撮像装置の前方に発光する
請求項１から６のいずれか１項に記載の発光制御部。
【請求項８】
前記操作受付部が受け付ける前記操作はレリーズを開閉させるレリーズコマンドである
請求項１から７のいずれか１項に記載の発光制御部。
【請求項９】
前記操作受付部は、無線通信によって操作を受け付ける
請求項１から８のいずれか１項に記載の発光制御部。
【請求項１０】
請求項１から９のいずれか１項に記載の前記発光制御部と、
前記発光部と
を有する発光装置であって、
前記発光装置は、前記撮像装置に取り外し可能に取り付けられる
発光装置。
【請求項１１】
請求項１から９のいずれか１項に記載の前記発光制御部と、
撮像した画像を画像表示部に自動再生させる表示制御部を備える前記撮像装置であって、
前記表示制御部は、前記バルブ撮影又は前記長時間露光の場合、撮影後の前記自動再生を禁止する撮像装置。
【請求項１２】
請求項１から９のいずれか１項に記載の前記発光制御部と、
撮像した画像を画像表示部に自動再生させる表示制御部を備える前記撮像装置であって、
前記表示制御部は、前記バルブ撮影又は前記長時間露光の場合、前記短時間露光の場合よりも、前記画像表示部の単位時間当たりの光量を小さくさせて画像を自動再生させる撮像装置。
【請求項１３】
請求項１から９のいずれか１項に記載の前記発光制御部と、
画像信号を記憶させる記憶部と、
前記記憶部に前記画像信号を記憶させている間、発光する記憶発光部とを備える撮像装置であって、
前記撮像装置は、
前記信号出力部は、前記バルブ撮影又は前記長時間露光の場合、前記短時間露光の場合よりも、単位時間当たりの光量が小さい状態で前記記憶発光部を発光させる撮像装置。
【請求項１４】
請求項１から９のいずれか１項に記載の前記発光制御部が内蔵されている
撮像装置。
【請求項１５】
コンピュータに発光制御を実行させるプログラムであって、
撮像装置への操作を受け付ける操作受付段階と、
前記撮像装置から露光時間の情報を取得する露光時間取得段階と、
前記操作受付段階で操作が受け付けられた場合に、前記露光時間取得段階で取得された前記情報が、バルブ撮影又は予め定められた閾値よりも長い露光時間の撮影である長時間露光を示すときは、前記情報がバルブ撮影でなくかつ前記閾値よりも短い露光時間の撮影である短時間露光を示すときよりも小さな単位時間当たりの発光量で、前記操作に対応して発光部を露光中に発光させる駆動信号を出力する信号出力段階と
をコンピュータに実行させるプログラム。
【発明の詳細な説明】
【技術分野】
【０００１】
本発明は、発光制御部、発光装置、撮像装置及びプログラムに関する。
【背景技術】
【０００２】
液晶モニタ等の発光する発光部を、バルブ撮影又は長時間露光する場合に他の場合と異なる制御を行う技術が知られている（例えば、特許文献１参照）。
［先行技術文献］
［特許文献］
［特許文献１］特開２００８−３５３８９号公報
【発明の概要】
【発明が解決しようとする課題】
【０００３】
しかしながら、バルブ撮影等においては、発光部からの光が、撮像素子に受光されてしまうので、撮影された画像の画質が低下するといった課題がある。
【課題を解決するための手段】
【０００４】
本発明の第１の態様においては、撮像装置への操作を受け付ける操作受付部と、前記撮像装置から露光時間の情報を取得する露光時間取得部と、前記操作受付部により操作が受け付けられた場合に、前記露光時間取得部により取得された前記情報が、バルブ撮影又は予め定められた閾値よりも長い露光時間の撮影である長時間露光を示すときは、前記情報がバルブ撮影でなくかつ前記閾値よりも短い露光時間の撮影である短時間露光を示すときよりも小さな単位時間当たりの光量で、前記操作に対応して発光部を露光中に発光させる駆動信号を出力する信号出力部とを備える発光制御部を提供する。
【０００５】
本発明の第２の態様においては、上述の前記発光制御部と、前記発光部とを有する発光装置であって、前記発光装置は、前記撮像装置に取り外し可能に取り付けられる発光装置を提供する。
【０００６】
本発明の第３の態様においては、上述の前記発光制御部と、撮像した画像を画像表示部に自動再生させる表示制御部を備える前記撮像装置であって、前記表示制御部は、前記バルブ撮影又は前記長時間露光の場合、撮影後の前記自動再生を禁止する撮像装置を提供する。
【０００７】
本発明の第４の態様においては、上述の前記発光制御部と、撮像した画像を画像表示部に自動再生させる表示制御部を備える前記撮像装置であって、前記表示制御部は、前記バルブ撮影又は前記長時間露光の場合、前記短時間露光の場合よりも、前記画像表示部の単位時間当たりの光量を小さくさせて画像を自動再生させる撮像装置を提供する。
【０００８】
本発明の第５の態様においては、上述の前記発光制御部と、画像信号を記憶させる記憶部と、前記記憶部に前記画像信号を記憶させている間、発光する記憶発光部とを備える撮像装置であって、前記撮像装置は、前記信号出力部は、前記バルブ撮影又は前記長時間露光の場合、前記短時間露光の場合よりも、単位時間当たりの光量が小さい状態で前記記憶発光部を発光させる撮像装置を提供する。
【０００９】
本発明の第６の態様においては、上述の前記発光制御部が内蔵されている撮像装置を提供する。
【００１０】
本発明の第７の態様においては、コンピュータに発光制御を実行させるプログラムであって、撮像装置への操作を受け付ける操作受付段階と、前記撮像装置から露光時間の情報を取得する露光時間取得段階と、前記操作受付段階で操作が受け付けられた場合に、前記露光時間取得段階で取得された前記情報が、バルブ撮影又は予め定められた閾値よりも長い露光時間の撮影である長時間露光を示すときは、前記情報がバルブ撮影でなくかつ前記閾値よりも短い露光時間の撮影である短時間露光を示すときよりも小さな単位時間当たりの発光量で、前記操作に対応して発光部を露光中に発光させる駆動信号を出力する信号出力段階とをコンピュータに実行させるプログラムを提供する。
【００１１】
なお、上記の発明の概要は、本発明の必要な特徴の全てを列挙したものではない。また、これらの特徴群のサブコンビネーションもまた、発明となりうる。
【図面の簡単な説明】
【００１２】
【図１】撮像システム１０の正面図である。
【図２】撮像システム１０の背面図である。
【図３】撮像装置１２の制御系の全体構成を示すブロック図である。
【図４】リモコン受信機１６の制御系を説明するブロック図である。
【図５】リモコン通信による撮影時の発光制御を説明するフローチャートである。
【図６】他の暗発光を説明するグラフである。
【図７】画像表示装置２４の自動再生処理のフローチャートである。
【発明を実施するための形態】
【００１３】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１４】
図１は、撮像システム１０の正面図である。図２は、撮像システム１０の背面図である。図１に矢印で示す上下左右を撮像装置の上下左右方向とする。また、撮像装置が撮影可能な方向、即ち、撮像装置から見て被写体が存在する方向を前方とする。図１及び図２に示すように、撮像システム１０は、撮像装置１２と、リモコン送信機１４と、リモコン受信機１６とを備える。
【００１５】
撮像装置１２は、筐体２０と、撮影レンズ２２と、画像表示装置２４と、撮影を指示するためのレリーズスイッチ２６と、画像保存中に点灯するアクセスランプ２８と、操作部材３０とを備える。撮影レンズ２２は、筐体２０の前面に設けられている。撮影レンズ２２は、被写体像を合焦させる。画像表示装置２４の一例は、ＴＦＴ液晶表示装置である。画像表示装置２４は、撮影された画像及び各種の設定をするための設定メニューを表示する。操作部材３０は、ユーザによりオン／オフの切り替えを含む種々の操作指示を入力する。
【００１６】
リモコン送信機１４は、送信ボディ４０と、リモコンスイッチ４２とを備える。リモコンスイッチ４２は、押圧可能に送信ボディ４０に設けられている。ユーザがリモコンスイッチ４２を押圧すると、リモコン送信機１４は、操作に関する信号を赤外光又は電波による無線通信によって送信する。操作に関する信号の一例は、レリーズを開閉させるレリーズコマンドである。
【００１７】
リモコン受信機１６は、発光装置の一例である。リモコン受信機１６は、撮像装置１２の前面の左上部に着脱可能に取り付けられる。リモコン受信機１６は、受信ボディ４４と、発光部の一例である受信ランプ４６とを備える。受信ボディ４４は、受信ランプ４６を保持する。受信ランプ４６は、受信ボディ４４の上部に設けられている。受信ランプ４６は、撮像装置１２の前方を含む四方に向けて発光する。受信ランプ４６は、例えばリモコン送信機１４からレリーズコマンドを受信すると応答確認用のために点灯する。また、受信ランプ４６は、シャッターが開いている間、点灯する。受信ランプ４６の一例は、発光ダイオードである。
【００１８】
図３は、撮像装置１２の制御系の全体構成を示すブロック図である。図３に示すように、撮像装置１２は、画像処理部５０と、撮像制御部５２とを有する。
【００１９】
画像処理部５０は、撮像素子５６と、Ａ／Ｄ変換器５８と、タイミングジェネレータ６０と、画像処理回路６２と、メモリ６４と、イメージメモリ６６と、メモリ７０と、表示回路７４と、リアルタイムクロック７６と、画像表示装置２４とを有する。
【００２０】
撮像素子５６は、ＣＣＤ（Charge Coupled Device）センサ、又は、ＣＭＯＳ（Complementary Metal Oxide Semiconductor）センサ等の光電変換素子を有する。撮像素子５６は、撮影レンズ２２によって焦点が結ばれた被写体像を受光する。撮像素子５６は、受光した被写体像を光電変換した電気的なアナログ信号をＡ／Ｄ変換器５８へと出力する。Ａ／Ｄ変換器５８は、撮像素子５６から入力されたアナログ信号をデジタル信号の画像信号に変換して、画像処理回路６２へと出力する。タイミングジェネレータ６０は、撮像素子５６にタイミング信号を与える。画像処理回路６２は、Ａ／Ｄ変換器５８から入力された画像信号をイメージメモリ６６に一時的に保存する。画像処理回路６２は、その保存した画像信号に対して各種の画像処理を実行して、画像信号をメモリ７０及び表示制御回路へと出力する。画像処理回路６２は、画像処理した画像信号をＪＰＥＧ等のファイル形式に圧縮処理する圧縮回路を含む。メモリ６４は、画像処理回路６２の動作を決定するデータを記憶する。メモリ６４は、不揮発性メモリを有する。
【００２１】
イメージメモリ６６は、画像処理回路６２から入力された複数の画像信号を一時的に保存する。メモリ７０は、記憶部の一例であって、画像処理回路６２から入力された画像信号を一時的に保存して、撮像装置１２に着脱可能に取り付けられる記憶媒体７２へと出力して記憶させる。アクセスランプ２８は、記憶媒体７２に画像信号を記憶させている間、点滅発光する。メモリ７０は、不揮発性メモリを有する。表示回路７４は、画像処理回路６２から入力された画像信号に基づいて、撮影された画像を画像表示装置２４に表示させる。また、表示回路７４は、バブル撮影及び長時間撮影を含むシャッター速度等を設定するための各種設定メニューを画像表示装置２４に表示させる。リアルタイムクロック７６は、計時動作を実行して、時間情報を画像処理回路６２へと出力する。
【００２２】
撮像制御部５２は、表示装置７８と、シャッター８０と、ＣＰＵ８２と、メモリ８４と、レリーズスイッチ２６と、アクセスランプ２８と、操作部材３０とを有する。表示装置７８は、設定されたシャッター速度、露出等の設定情報を表示する。表示装置７８は、画像表示装置２４と比較して小型の液晶表示装置を有する。シャッター８０は、ＣＰＵ８２から入力される開閉信号によって開閉する。ＣＰＵ８２は、撮像装置１２の制御全般を司る。ＣＰＵ８２は、操作部材３０によって入力された設定情報をメモリ８４に保存する。設定情報の一例は、露光時間である。
【００２３】
図４は、リモコン受信機１６の制御系を説明するブロック図である。図４に示すように、リモコン受信機１６は、受信モジュール９２と、受信記憶部９３と、電源回路９４と、マイクロコンピュータ９６と、受信ランプ４６への過電流を防止する電流制限抵抗９８と、受信ランプ４６とを有する。
【００２４】
受信モジュール９２は、操作受け付け部の一例である。受信モジュール９２は、赤外光又は電波による無線通信によってリモコン送信機１４からの操作の信号を含む情報を受信する。受信モジュール９２は、撮像装置１２への操作の一例であるレリーズのコマンドをリモコン送信機１４から受信する。尚、受信モジュール９２が、レリーズのコマンドであるレリーズコマンド以外の操作コマンドを受信可能にしてもよい。受信モジュール９２は、受信したレリーズコマンドをマイクロコンピュータ９６へと出力する。
【００２５】
受信記憶部９３は、発光制御用のプログラム及び設定情報を記憶する。電源回路９４は、電力供給線９５を介して、撮像装置１２から電力供給を受ける。電源回路９４は、受けた電力を受信モジュール９２、マイクロコンピュータ９６、受信記憶部９３及び受信ランプ４６に電力を供給する。
【００２６】
また、マイクロコンピュータ９６は、信号伝達線９７を介して、情報を入出力可能に撮像装置１２のＣＰＵ８２と接続されている。マイクロコンピュータ９６が、ＣＰＵ８２へと出力する情報には、レリーズの開始及び停止を示すレリーズ信号が含まれる。尚、マイクロコンピュータ９６は、受信モジュール９２からレリーズコマンドが入力されると、レリーズ信号をＣＰＵ８２へと出力する。マイクロコンピュータ９６が、撮像装置１２のＣＰＵ８２から取得する情報の一例は、露光時間及び露光時間閾値の情報である。露光時間の情報は、バルブ撮影である情報を含む。露光時間閾値は、予め定められた閾値の一例である。露光時間閾値の一例は、１秒である。マイクロコンピュータ９６は、取得した露光時間の情報がバルブ撮影の情報を含む場合、又は、露光時間が露光時間閾値より長い場合、ユーザによる撮影の設定がバルブ撮影又は長時間露光の撮影と判定する。一方、マイクロコンピュータ９６は、取得した露光時間の情報がバルブ撮影の情報を含まず、且つ、露光時間が露光時間閾値より短い場合、ユーザの設定が短時間露光と判定する。
【００２７】
マイクロコンピュータ９６は、信号出力部の一例である。マイクロコンピュータ９６は、受信記憶部９３から発光制御用のプログラムを読み込んで実行する。マイクロコンピュータ９６は、受信ランプに接続された出力ポートからＨレベル、又は、Ｈレベルよりも低いＬレベルの駆動信号を出力することによって、受信ランプ４６の制御を行う。これにより、受信ランプ４６は、発光を制御される。ここで、マイクロコンピュータ９６は、出力ポートをＬレベルにすることにより、受信ランプ４６が点灯し、出力ポートをＨレベルにすることにより受信ランプは消灯する。ここで、出力ポートをＬとＨで高速に切り換えれば、受信ランプの明るさを変更することができる。
【００２８】
マイクロコンピュータ９６は、受信モジュール９２がリモコン送信機１４からレリーズコマンドを受信すると、受信したことを応答するために受信ランプ４６を点灯させる。これにより、ユーザは、撮像装置１２から離れた位置からリモコン送信機１４によってレリーズ信号を送信しても、受信されたことを認識できる。また、マイクロコンピュータ９６は、受信モジュール９２がレリーズコマンドを受信した場合であって、レリーズ中である場合、当該レリーズに対応させて受信ランプ４６を発光させる。これにより、ユーザは、撮像装置１２から離れた位置からでもシャッター８０が開いて、露光中であることを認識できる。
【００２９】
ここで、マイクロコンピュータ９６は、バルブ撮影又は長時間露光の場合、出力ポートをＨとＬに高速に切り換えることで、短時間露光の場合よりも発光強度が小さい暗発光状態で受信ランプ４６を発光させる。尚、短時間露光の場合、マイクロコンピュータ９６は、出力ポートをＬに設定して、バルブ撮影又は長時間露光の場合よりも発光強度の大きい明発光状態で受信ランプ４６を発光させる。これにより、レリーズコマンドを受けた旨を示す発光及びレリーズ中を示す発光において、マイクロコンピュータ９６は、バルブ撮影又は長時間露光の場合、短時間露光の場合よりも単位時間あたりの光量が小さい状態で受信ランプ４６を発光させる。単位時間当たりの光量とは、発光中の光量を積算して、その光量を露光時間で除算した平均光量である。
【００３０】
図５は、リモコン通信による撮影時の発光制御を説明するフローチャートである。図５に示すように、リモコン通信による撮影処理では、撮像装置１２の電源がオンになると、撮像装置１２のＣＰＵ８２とリモコン受信機１６のマイクロコンピュータ９６との間で初期通信が実行される（Ｓ１０）。この初期通信によって、マイクロコンピュータ９６は、ユーザに設定されてメモリ８４に保存された露光時間、及び、予め設定されている露光時間閾値の情報を取得する。次に、リモコン受信機１６のマイクロコンピュータ９６が、取得した露光時間の設定がバルブ撮影か否かを判定する（Ｓ１２）。
【００３１】
マイクロコンピュータ９６はバルブ撮影と判定すると（Ｓ１２：Ｙｅｓ）、ステップＳ１６以降の処理を実行する。一方、マイクロコンピュータ９６は、露光時間の設定がバルブ撮影でないと判定すると（Ｓ１２：Ｎｏ）、露光時間が長時間露光か否かを判定する（Ｓ１４）。具体的には、マイクロコンピュータ９６は、ＣＰＵ８２を介してメモリ８４に保存された露光時間閾値を取得して、露光時間閾値と設定された露光時間とを比較する。マイクロコンピュータ９６は、露光時間閾値よりも設定された露光時間が長ければ、長時間露光と判定する。マイクロコンピュータ９６が長時間露光と判定すると（Ｓ１４：Ｙｅｓ）、マイクロコンピュータ９６は、ステップＳ１６以降の処理を実行する。一方、マイクロコンピュータ９６は、バルブ撮影及び長時間露光でない、即ち、短時間露光であると判定すると（Ｓ１４：Ｎｏ）、Ｓ３４以降の処理を実行する。従って、バルブ撮影又は長時間露光の場合は、マイクロコンピュータ９６は、ステップＳ１６以降の処理を実行して、短時間露光である場合、マイクロコンピュータ９６は、ステップＳ３４以降の処理を実行する。
【００３２】
まず、バルブ撮影又は長時間露光の場合に実行されるステップＳ１６以降について説明する。マイクロコンピュータ９６は、レリーズコマンドの待機状態となる（Ｓ１６）。マイクロコンピュータ９６は、受信モジュール９２からの入力信号に基づいて、リモコン送信機１４からレリーズコマンドを受信したと判定すると（Ｓ１６：Ｙｅｓ）、受信に対する応答確認用として受信ランプ４６を一定時間暗発光させる（Ｓ１８）。暗発光では、マイクロコンピュータ９６は、受信ランプに接続されたポートをＨとＬレベルに高速に切り換える駆動信号を出力して、受信ランプ４６を短時間露光の場合よりも発光強度を下げて点灯させる。これにより、バルブ撮影又は長時間露光では、受信ランプ４６の単位時間当たりの光量を短時間露光よりも小さくできる。マイクロコンピュータ９６は、ＣＰＵ８２へのレリーズ信号の出力を開始する（Ｓ２０）。これにより、撮像装置１２では、ＣＰＵ８２が、レリーズ信号を受けて、シャッター８０を開けて露光を開始する。
【００３３】
次に、上述した受信ランプ４６の発光制御を変更した例を説明する。例えば、他の点滅発光等によって暗発光を実現させてもよい。暗発光における受信ランプ４６の単位時間当たりの光量を明発光における単位時間当たりの光量よりも少なくすればよい。単位時間当たりの光量とは、時間平均した光量である。例えば、単位時間当たりの光量を少なくする方法として、バルブ撮影又は長時間露光の場合、短時間露光の場合よりも単位時間当たりの発光時間が短い状態で受信ランプ４６を発光させてもよい。
【００３４】
次に、マイクロコンピュータ９６は、レリーズ中を示す受信ランプ４６の暗発光を開始する（Ｓ２２）。暗発光では、マイクロコンピュータ９６は、受信ランプに接続されたポートをＨとＬレベルに高速に切り換える駆動信号を出力して、受信ランプ４６を短時間露光の場合よりも発光強度を下げて連続点灯させる。
【００３５】
次に、マイクロコンピュータ９６は長時間露光か否かを判定する（Ｓ２４）。マイクロコンピュータ９６は、設定された露光時間が長時間露光でない、即ち、バルブ撮影であると判定すると（Ｓ２４：Ｎｏ）、レリーズコマンドの受信待機状態となる（Ｓ２６）。尚、ここでのレリーズコマンドは、露光を終了させるためにリモコン送信機１４によってユーザが送信する操作信号である。マイクロコンピュータ９６は、受信モジュール９２から入力された入力信号に基づいて、レリーズコマンドを受信したと判定すると（Ｓ２６：Ｙｅｓ）、ＣＰＵ８２へレリーズの停止を指示するレリーズ信号を出力する（Ｓ２８）。これにより、撮像装置１２では、ＣＰＵ８２がレリーズ信号を受けて、シャッター８０を閉じて露光を停止する。この後、マイクロコンピュータ９６は、レリーズ中を示す受信ランプ４６の暗発光を停止する（Ｓ３０）。これにより、撮影処理が終了する。
【００３６】
一方、マイクロコンピュータ９６は、長時間露光であると判定すると（Ｓ２４：Ｙｅｓ）、露光が終了か否かを判定する（Ｓ３２）。マイクロコンピュータ９６は、露光開始からの経過時間と、取得した露光時間とを比較して、露光の終了を判定する。尚、マイクロコンピュータ９６は、ＣＰＵ８２から露光が終了した旨の信号を取得して、露光の終了を判定してもよい。マイクロコンピュータ９６は露光が終了したと判定すると（Ｓ３２：Ｙｅｓ）、ポートをＨにして、レリーズ中を示す受信ランプ４６の暗発光を停止する（Ｓ３０）。これにより、撮影処理が終了する。
【００３７】
次に、短時間露光において実行されるステップＳ３４以降について説明する。マイクロコンピュータ９６は、レリーズコマンドを受信したと判定すると（Ｓ３４：Ｙｅｓ）、受信に対する応答として受信ランプ４６を明発光させる（Ｓ３６）。尚、明発光では、マイクロコンピュータ９６は、Ｌレベルの駆動信号を出力して、暗発光の場合よりも受信ランプ４６の発光強度を上げて一定時間点灯させる。
【００３８】
マイクロコンピュータ９６は、ＣＰＵ８２へのレリーズ信号の出力を開始するとともに（Ｓ３８）、レリーズ中を示す明発光を開始する（Ｓ４０）。明発光では、マイクロコンピュータ９６は、Ｌレベルの駆動信号を出力して、暗発光の場合よりも受信ランプ４６の発光強度を上げて連続点灯させる。マイクロコンピュータ９６は、露光終了か否かを判定する（Ｓ４２）。マイクロコンピュータ９６は、露光が終了したと判定すると（Ｓ４２：Ｙｅｓ）、Ｈレベルの駆動信号を出力して、レリーズ中を示す明発光を停止する（Ｓ４４）。これにより、撮影処理が終了する。
【００３９】
上述したように、リモコン受信機１６では、マイクロコンピュータ９６が、バルブ撮影又は長時間露光の場合、受信ランプ４６の発光強度を下げた状態で暗発光させる。これにより、星の撮影等で暗い場所でバルブ撮影又は長時間露光する場合であっても、受信ランプ４６の光及びその光が周りで反射されて撮像素子５６に受光されることによる撮影画像の画質の低下を抑制できる。また、一般に暗い状況で行われるバルブ撮影又は長時間露光において、ユーザが眩しさを感じることを抑制しつつ、受信ランプ４６の光及びその光の反射光による周りのユーザへの影響を抑制できる。
【００４０】
一方、短時間露光では、明発光させることにより、ユーザは露光時間に合わせて短い時間点灯する受信ランプ４６の光を暗い状態でも認識できる。これにより、ユーザは、暗い場所で短時間露光させても、昼間の明るい状態と同様に、レリーズが開いたことを認識できる。
【００４１】
図６は、他の暗発光を説明するグラフである。図６において、上のグラフが明発光を示し、下のグラフが暗発光を示す。マイクロコンピュータ９６の出力ポートがＬの時は受信ランプ４６は常時点灯し、最も明るい。マイクロコンピュータ９６の出力ポートがＨの時は受信ランプ４６は消灯する。従ってＨとＬを高速に繰り返すことで、明るさを変えられる。Ｈの期間が長ければ暗くなる。
【００４２】
図６に示す発光制御では、明発光及び暗発光の発光及び消灯の周期、即ち点滅の周期は同じである。また、明発光及び暗発光における発光時の受信ランプ４６の発光強度は等しいとする。図６に示す発光制御では、暗発光において、１周期における出力ポートがＨの時間を明発光よりも長くしている。このため、暗発光では、点滅の１周期当たりの消灯時間が明発光における発光時間よりも長くなる。これにより、暗発光における単位時間当たりの光量は、明発光における単位時間当たりの光量よりも小さくなる。この結果、バルブ撮影又は長時間撮影において暗発光を実行することにより、画質の劣化を抑制できる。更に、この発光制御は、発光強度を変更する場合に比べて、受信ランプ４６のオンとオフとを切り替えることによって実現できる。これにより、リモコン受信機１６の構成を複雑化することなく、マイクロコンピュータ９６の制御により実現できる。
【００４３】
マイクロコンピュータ９６が、１周期の発光時間を等しくしつつ、バルブ撮影又は長時間露光の場合、短時間露光の場合よりも、受信ランプ４６の点滅の周期を長くするように構成してもよい。別の例では、受信ランプ４６を連続して点灯させつつ、バルブ撮影又は長時間露光の場合、受信ランプ４６の発光強度を、短時間露光の場合の発光強度よりも小さくしてもよい。別の例では、明発光では連続点灯させて、暗発光では点滅発光させてもよい。更に、レリーズコマンドを受信した旨の応答時の発光に上述した発光制御を適用してもよい。
【００４４】
上述した実施形態では、リモコン受信機１６を撮像装置１２に着脱可能に構成したが、リモコン受信機１６の一部、例えば、マイクロコンピュータ９６を撮像装置１２に内蔵させてもよい。この場合、マイクロコンピュータ９６とＣＰＵ８２とを一体化してもよい。
【００４５】
バルブ撮影又は長時間撮影において、他の発光部を短時間撮影と異なる制御をしてもよい。他の発光部は、リモコン受信機１６等の外付けのアクセサリ部品の発光部であってもよく、撮像装置１２の発光部であってもよい。異なる制御を実行させる発光部の例は、画像表示装置２４、表示装置７８、アクセスランプ２８である。例えば、ＣＰＵ８２は、バルブ撮影又は長時間露光の場合、短時間露光の場合よりも、単位時間当たりの光量が小さい状態で、記憶発光部の一例であるアクセスランプ２８を発光させる。この場合、ＣＰＵ８２が、信号出力部の一部として機能する。また、撮影レンズ２２をズームさせるズーム信号を受信した場合に発光する発光部、セルフタイマー用の発光部、ピント用のＡＦ補助光を発光する発光部に、バルブ撮影又は長時間撮影において、異なる制御を適用してもよい。更に、発光部は、前方以外の後方、上方、下方、横方向に発光してもよい。
【００４６】
異なる制御の一例として画像表示装置２４の自動再生制御について説明する。図７は、画像表示装置２４の自動再生処理のフローチャートである。尚、自動再生処理とは、画像の撮影後、ＣＰＵ８２が、表示回路７４を介して、撮影した画像を画像表示装置２４に自動で再生する制御のことである。ＣＰＵ８２は、表示制御部の一例である。
【００４７】
図７に示すように、ＣＰＵ８２は、バルブ撮影か否か、及び、長時間露光か否かを判定する（Ｓ５０、Ｓ５２）。ＣＰＵ８２は、バルブ撮影でもなく、長時間撮影でもない、即ち、短時間露光であると判定すると（Ｓ５０：Ｎｏ、Ｓ５２：Ｎｏ）、メモリ８４に保存されている設定情報に基づいて、撮影後の自動再生がＯＮに設定されているか否かを判定する（Ｓ５４）。ＣＰＵ８２は、自動再生がＯＮに設定されていると判定すると（Ｓ５４：Ｙｅｓ）、表示回路７４を介して、撮影された画像を画像表示装置２４に自動で表示させる（Ｓ５６）。
【００４８】
ＣＰＵ８２は、メモリ８４に設定された再生時間に基づいて、再生されている画像の再生が終了か否かを判定する（Ｓ５８）。ＣＰＵ８２は、再生終了と判定すると（Ｓ５８：Ｙｅｓ）、再生を終了する（Ｓ６０）。これにより、自動再生処理は、終了する。
【００４９】
一方、ＣＰＵ８２が、露光設定がバルブ撮影又は長時間撮影のいずれかであると判定すると（Ｓ５０：Ｙｅｓ、Ｓ５２：Ｙｅｓ）、自動再生処理を終了する。即ち、ＣＰＵ８２は、露光設定がバルブ撮影又は長時間露光である場合、撮影後の自動再生を禁止する。これにより、バルブ撮影又は長時間撮影においては、画像が自動再生されないので、再生されている画像の光による撮影中の画像の劣化を抑制できる。尚、自動再生がＯＮに設定されていない場合、当然に、自動再生は実行されない。
【００５０】
また、上述の実施形態では、バルブ撮影又は長時間露光の場合、自動再生を禁止する例を示したが、ＣＰＵ８２が、バルブ撮影又は長時間露光の場合、短時間露光の場合よりも、画像表示装置２４の単位時間あたりの光量を小さくさせて画像を自動再生させてもよい。
【００５１】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【００５２】
特許請求の範囲、明細書、及び図面中において示した装置、システム、プログラム、及び方法における動作、手順、ステップ、及び段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」等を用いて説明したとしても、この順で実施することが必須であることを意味するものではない。
【符号の説明】
【００５３】
１０  撮像システム
１２  撮像装置
１４  リモコン送信機
１６  リモコン受信機
２０  筐体
２２  撮影レンズ
２４  画像表示装置
２６  レリーズスイッチ
２８  アクセスランプ
３０  操作部材
４０  送信ボディ
４２  リモコンスイッチ
４４  受信ボディ
４６  受信ランプ
５０  画像処理部
５２  撮像制御部
５６  撮像素子
５８  Ａ／Ｄ変換器
６０  タイミングジェネレータ
６２  画像処理回路
６４  メモリ
６６  イメージメモリ
７０  メモリ
７２  記憶媒体
７４  表示回路
７６  リアルタイムクロック
７８  表示装置
８０  シャッター
８２  ＣＰＵ
８４  メモリ
９２  受信モジュール
９３  受信記憶部
９４  電源回路
９５  電力供給線
９６  マイクロコンピュータ
９７  信号伝達線
９８  電流制限抵抗
【図１】
2013055482.tif 000003
【図２】
2013055482.tif 000004
【図３】
2013055482.tif 000005
【図４】
2013055482.tif 000006
【図５】
2013055482.tif 000007
【図６】
2013055482.tif 000008
【図７】
2013055482.tif 000009